(57)【要約】【課題】  簡単な作業で見栄えよく被包装物を包装することができる上に、包装後において持ち運びが便利な包装材を提供することを課題とする。【解決手段】  被包装物を包装するための包装材であって、被包装物を載置した状態で該被包装物側に両側部を折り返し可能で、両側部の折り返し方向と交差方向に二つ折り可能なサイズに設定された折り曲げ自在なシート材と、該シート材が二つ折りにされたときに重合する両端部を直接的又は間接的に合わせ持つための把持部とを備えたことを特徴とする。【選択図】図１
2007197059.tif 000002
【特許請求の範囲】
【請求項１】
被包装物を包装するための包装材であって、被包装物を載置した状態で該被包装物側に両側部を折り返し可能で、両側部の折り返し方向と交差方向に二つ折り可能なシート材と、シート材が二つ折りにされたときに該シート材の重合する両端部を直接的又は間接的に合わせ持つための把持部とを備えたことを特徴とする包装材。
【請求項２】
シート材の両端部のそれぞれにシート片が貼設され、各シート片は、指を挿入するための指挿入穴が穿設されるとともに、該指挿入穴に指を挿入した手で把持可能に前記把持部が形成され、少なくともシート材の両端部を合わせ持つときに、各シート片の指挿入穴及び把持部がシート材の端縁よりも外側に位置して互いに重なった状態になるように構成されている請求項１記載の包装材。
【請求項３】
シート材の両端部のそれぞれに、指を挿入するための指挿入穴が穿設されるとともに、該指挿入穴に指を挿入した手で把持可能に前記把持部が形成されている請求項１記載の包装材。
【請求項４】
折り返し可能に構成されるとともに折返稜線を基準にした対称位置に指を挿入するための二つの指挿入穴が穿設されたシート片を備え、該シート片は、シート材の一端から外側に延出するように一端部が該シート材の一端部に貼着される一方、他端部が二つ折りにされたシート材の他端部に貼着可能に構成され、シート片の両端部がシート材に貼着された状態で二つの指挿入穴間に前記把持部が形成されるようになっている請求項１記載の包装材。
【請求項５】
前記シート材が和紙で構成されている請求項１乃至４の何れか１項に記載の包装材。
【発明の詳細な説明】
【技術分野】
【０００１】
本発明は、商品等の被包装物を包装するための包装材に関する。
【背景技術】
【０００２】
従来から、商品等の被包装物を包装する包装材として包装紙が用いられている。かかる包装紙による包装は、包装紙で被包装物を完全に包囲して外部から中身が見えないような態様にされるのが一般的である。すなわち、包装紙による包装は、包装紙上に被包装物を載置した状態にして、包装紙の被包装物を載置した部分以外を被包装物の形状に即して適宜折り曲げ、最終的に被包装物を完全に包み込むようにして行われる。
【０００３】
これにより、包装紙は、外部から中身が判らない状態で体裁のよい包装ができるとして、一般的な商品、進物やおみやげ等を包装する包装材として幅広く採用されている。
【発明の開示】
【発明が解決しようとする課題】
【０００４】
しかしながら、包装紙による包装は、被包装物の形状に即して適宜包装紙を折り曲げて被包装物を完全に包み込むようにするため、非常に手間がかかってしまうといった問題がある。特に、観光地等のように訪問客が多い場所（土産物店等）では、顧客からは見栄えのよい包装が要求されるにもかかわらず、一時に多数の顧客に対応しなければならないため、被包装物を包装する店員に多大な負担が生じてしまう。
【０００５】
また、包装紙で包装すると持ち運びが不便であるといった理由から、包装紙で包装したものを把持する部分を備えた袋でさらに包装するといった包装態様をとる場合があるが、かかる包装態様は、必要以上の包装資源を無駄に使用することになり、資源の有効活用等の観点において問題がある。
【０００６】
そのため、包装紙に代えて把持する部分を備えた袋で被包装物を直接包装することも考えられるが、かかる袋は、特定の被包装物を包装の対象としていないため、包装する被包装物に対して大きすぎたり、小さすぎたりする場合があり、被包装物の大きさや形態等に合わせた体裁のよい包装をするのに限界がある。特に、ビニル袋等は単に持ち運びのみを考慮したもので、体裁の良い包装が要求される進物等の包装材として採用することはできない。
【０００７】
そこで、本発明は、斯かる実情に鑑み、簡単な作業で体裁良く被包装物を包装することができる上に、包装後において持ち運びが便利な包装材を提供することを課題とする。
【課題を解決するための手段】
【０００８】
本発明に係る包装材は、被包装物を包装するための包装材であって、被包装物を載置した状態で該被包装物側に両側部を折り返し可能で、両側部の折り返し方向と交差方向に二つ折り可能なシート材と、シート材が二つ折りにされたときに該シート材の重合する両端部を直接的又は間接的に合わせ持つための把持部とを備えたことを特徴とする。
【０００９】
上記構成の包装材によれば、シート材が被包装物を載置した状態で該被包装物側に両側部を折り返し可能で、両側部の折り返し方向と交差方向に二つ折り可能であるので、シート材上に被包装物を載置し、該シート材の両側部を被包装物側に折り返した上で該シート材を両側部の折り返し方向と交差方向にさらに二つ折りにすれば、被包装物がシート材に包囲された状態になる。
【００１０】
そして、該包装材は、シート材が二つ折りにされたときに重合する両端部を直接的又は間接的に合わせ持つための把持部を備えているので、上述の如く、被包装物を包囲した状態のシート材の両端部を把持部を介して直接的又は間接的に合わせ持つことで、シート材を二つ折りの状態で維持させることができ、鞄や把持する部分を備えた袋の如く態様で持ち運ぶことができる。
【００１１】
また、該包装材は、シート材が被包装物を包囲（被包装物を包装）した状態で、シート材上に両側部の折り返しによる折曲線と、二つ折りにすることによる折曲線とが交差した態様で形成されるので、折り返した両側部が開いてしまうことがなく、被包装物が脱落するといった事態になるのを防止することができる。なお、シート材の両側部の折り返しと二つ折りとで被包装物の脱落を防止することはできるが、シート材の略中央に向けて向き合う、或いは重なり合う両側部同士を粘着テープで貼り合わせるようにしても勿論よい。また、二つ折りにしたシート材の両端部同士を粘着テープで貼り合わせも勿論よい。このように、シート材の両側部同士、両端同士を粘着テープで貼着すれば、より確実な包装にすることができる。
【００１２】
さらに、商品に合わせてシート材の両側部を折り返した上で、それを更に二つ折りにして包装するため、包装後の態様が非常に体裁のよいものとなる。特に、シート材に折曲線が形成されることで角張った部分が形成され、包装紙で包装した場合と同様に外観上メリハリのある包装にすることができる。
【００１３】
本発明の一態様として、シート材の両端部のそれぞれにシート片が貼設され、各シート片は、指を挿入するための指挿入穴が穿設されるとともに、該指挿入穴に指を挿入した手で把持可能に前記把持部が形成され、少なくともシート材の両端部を合わせ持つときに、各シート片の指挿入穴及び把持部がシート材の端縁よりも外側に位置して互いに重なった状態になるように構成してもよい。このようにすれば、両側部を折り返したシート材を二つ折りにした上で各シート片（把持部）を一緒に把持することで、シート材の両端部を間接的に（シート片を介して）合わせ持つことができる。そして、少なくともシート材の両端部を合わせ持つときに、各シート片の指挿入穴及び把持部がシート材の端縁よりも外側に位置して互いに重なった状態になるので、シート材の両端部を合わせ持つのにシート材の端部が占領されることがなく、シート材の一端から他端の全領域を被包装物を包装する領域として最大限に活用することができる。
【００１４】
また、本発明の他態様として、シート材の両端部のそれぞれに、指を挿入するための指挿入穴が穿設されるとともに、該指挿入穴に指を挿入した手で把持可能に前記把持部が形成されている構成されてもよい。このようにすれば、両側部を折り返したシート材を二つ折りにすることで、両端部の指挿入穴同士、及び把持部同士が重なり合うことになる。これにより、各把持部を一緒に把持することができ、直接的にシート材の両端部を合わせ持つことができる。
【００１５】
さらに、本発明の別の態様として、折り返し可能に構成されるとともに折返稜線を基準にした対称位置に指を挿入するための二つの指挿入穴が穿設されたシート片を備え、該シート片は、シート材の一端から外側に延出するように一端部が該シート材の一端部に貼着される一方、他端部が二つ折りにされたシート材の他端部に貼着可能に構成され、シート片の両端部がシート材に貼着された状態で二つの指挿入穴間に前記把持部が形成されるようにしてもよい。
【００１６】
このようにすれば、両側部を折り返したシート材を二つ折りにした状態でシート材の両端部が重なり合うことになる。そして、シート材の一端部にシート片の一端部が貼着されているので、二つ折りにされたシート材の他端部に対してシート片（折り返したシート片）の他端部を貼着することで、一枚のシート片によってシート材の両端部が連結（接続）された態様となる。そして、シート片に穿設された二つの指挿入穴が、シート片を折返稜線を基準にした対称位置に設けられているので、折り返したシート片がシート材の両端部に接続された状態で、二つの指挿入穴が重なりあってそれぞれに指を挿入できる状態になるとともに、その指挿入穴間（折返稜線を含んだ領域）に把持部が形成される。従って、シート材の両端部を接続したシート片に形成される把持部を把持することで、シート材の両端部を間接的に合わせ持つことができる。
【００１７】
そして、上述の何れの場合も、前記シート材が和紙で構成されてもよい。このようにすれば、シート材に高級感を持たせることができ、包装紙と同様に進物等に最適な包装材にすることができる。
【発明の効果】
【００１８】
本発明に係る包装材によれば、簡単な作業で見栄えよく被包装物を包装することができる上に、包装後において持ち運びが便利であるという優れた効果を奏し得る。
【発明を実施するための最良の形態】
【００１９】
以下、本発明の実施形態について、添付図面を参照しつつ説明する。
【００２０】
まず、本発明の第一実施形態に係る包装材について説明すると、本実施形態に係る包装材は、図１に示す如く、進物やおみやげ等の被包装物として商品Ｐを包むためのシート材１と、該シート材１の両端部のそれぞれに貼着され、シート材１に包まれた商品Ｐを持ち運ぶ者（例えば、消費者）が把持する把持部５の形成された一対のシート片２，２とで構成されている。
【００２１】
シート材１は、折り曲げ自在なシートで構成されており、商品Ｐを載置した状態で該商品Ｐ側に両側部Ｓ，Ｓを折り返し可能で、両側部Ｓ，Ｓの折り返し方向に対して交差方向に二つ折り可能にサイズ及び形状が設定されている。本実施形態に係るシート材１は、高級感や風合いに優れた和紙を平面視略長方形状にしたもので、長手方向（長手方向に延びる中心線（以下、長手中心線という）ＣＬ１に沿った方向）と直交する短手方向（長手中心線ＣＬ１と直交する中心線（以下、短手中心線という）ＣＬ２に沿った方向）の両側部Ｓ，Ｓを載置した商品Ｐ側に折り返し、その状態から該シート材１の長手方向に二つ折りにできるようにサイズ（大きさ）が設定されている。
【００２２】
各シート片２，２は、厚手のシート（本実施形態においては厚紙）が平面視略長方形状に形成されたもので、本実施形態においては、長手方向の長さがシート材１の短手方向の長さの三分の一の長さ以下に設定されている。
【００２３】
各シート片２，２には、指を挿入するための指挿入穴３，３が穿設されている。前記指挿入穴３，３は、該シート片２，２の長手方向と直交する方向（短手方向）の一端側に長手方向に延びる長穴状に形成されている。
【００２４】
これにより、各シート片２，２は、指挿入穴３，３に指を挿入した手で把持可能な把持部５が指挿入穴３，３とシート片２，２の端縁（一端縁）との間に形成されている。また、各シート片２，２は、短手方向の他端部にシート材１に貼着するための糊代部４が設けられている。すなわち、本実施形態に係るシート片２，２は、一端側に長穴状の指挿入穴３，３を穿設することで、該指挿入穴３を介して把持部５と糊代部４とが対向し、それぞれの両端部が指挿入穴３の両側に形成された一対の接続部（採番しない）を介して接続された態様をなしている。
【００２５】
上記構成の各シート片２，２は、長手方向がシート材１の長手方向と直交する（シート材１の端縁に沿った態様となる）ように、糊や接着剤等の接着手段を介して糊代部４がシート材１の長手方向の両端部のそれぞれに貼着されている。本実施形態においては、各シート片２，２は、長手方向の略中央がシート材１の長手中心線ＣＬ１上に位置するように設けられている。なお、シート片２，２は、シート材１の何れの面に貼着してもよいが、商品Ｐを包装する際に内側になる面に貼着し、商品Ｐを包装した状態で糊代部４がシート材１で隠れるようにして外観を良好にすることが好ましい。
【００２６】
本実施形態に係る包装材は、以上の構成からなり、商品Ｐを包装する際の手順について説明すると、まず、広げたシート材１上に商品Ｐを載置する。この際、シート材１の長手中心線ＣＬ１上に位置するように、シート材１の短手中心線ＣＬ２を境にした一方の領域内に商品Ｐを配置する。そして、図２（イ）に示す如く、シート材１の短手方向の両側部Ｓ，Ｓを商品Ｐ側に折り返す。すなわち、シート材１上の商品Ｐの大きさや形態に合わせてシート材１における短手方向の両側を商品Ｐ側（長手中心線ＣＬ１側）に折り返す。そうすると、折り返した部分が少なくとも商品Ｐの一部を覆うことになる。なお、商品Ｐの大きさによって、折り返した両側部Ｓ，Ｓ同士が重なる場合と長手中心線ＣＬ１を挟んで対向する場合とがあるが、折り返した部分が少なくとも商品Ｐの一部に覆い被さる状態になっていればよい。
【００２７】
そして、必要に応じて折り返した両側部Ｓ，Ｓ同士を粘着テープＴを介して貼着する。しかる後、図２（ロ）に示す如く、シート材１を長手方向に二つ折りにする。すなわち、シート材１の両端部に貼着したシート片２，２同士が互いに対向するように、シート材１を二つ折りにする。そうすると、各シート片２，２の指挿入穴３，３同士、及び把持部５，５同士が重なり、それぞれの指挿入穴３，３に対して指を連続して挿入して各シート片２，２の把持部５を一緒に把持できる状態となって商品Ｐに対する包装が完了する。
【００２８】
そして、包装後の商品Ｐを持ち歩く際に両シート片２，２の把持部５を一緒に把持すれば、商品Ｐをシート材１で包囲した状態で各把持部５を介してシート材１の両端部を間接的に合わせ持った態様となる。
【００２９】
以上のように、本実施形態に係る包装材は、商品Ｐを載置した状態でシート材１の両側部Ｓ，Ｓを商品Ｐ（長手中心線ＣＬ１）側に折り返した後に、そのシート材１を二つ折りにするだけで、商品Ｐを包装することができ、包装に係る作業が非常に簡便である。
【００３０】
そして、該包装材は、シート材１を二つ折りにすることで重合する両端部を間接的に合わせ持つことのできる把持部５を備えているので、二つ折り状態にあるシート材１が開いて商品Ｐを脱落させる等といった事態になるのを確実に防止できる上に、鞄や把持する部分を備えた袋の如く態様で持ち運ぶことができ、非常に便利である。
【００３１】
また、商品Ｐを包装した状態で、シート材１上に両側部Ｓ，Ｓの折り返しによる折曲線と、二つ折りにすることによる折曲線とが交差（例えば、直交）した態様で形成されるので、包装後にその折り返した両側部Ｓ，Ｓが開いてしまうのを防止することができる。従って、本実施形態に係る包装材は、商品Ｐを包装する際にシート材１の両側部Ｓ，Ｓが商品Ｐの一部を覆うことのできるサイズにシート材１が形成されているので、商品Ｐの脱落を防止することができる。また、商品Ｐに合わせてシート材１の両側部を折り返した上で、それを更に二つ折りにして包装するため、包装後の態様が非常に体裁のよいものとなる。特に、シート材１に折曲線が形成されることで角張った部分が形成され、包装紙で包装した場合と同様に外観上メリハリのある包装にすることができる。
【００３２】
また、シート材１の端縁から外側に延出するように各シート片２，２をシート材１の両端部のそれぞれに貼着し、シート材１から外側に延出した部分に把持部５を形成するようにしたので、シート材１の長手方向における一端から他端の全領域を商品Ｐを包装する領域として最大限に活用することができる。
【００３３】
さらに、本実施形態においては、シート片２，２の長手方向の長さをシート材１の短手方向の長さの三分の一以下にしたので、シート片２，２の存在によってシート材１の両側部Ｓ，Ｓの折り返しが阻害される領域を少なくすることができ、種々のサイズの商品Ｐを包み込んだ態様で包装することができる。すなわち、シート材１の両側部Ｓ，Ｓを折り返すことのできる領域を大きくすることができ、包装できる商品Ｐの対象の幅を広げることができる。
【００３４】
また、本実施形態に係る包装材は、シート材１に和紙が採用されているので、高級感や風合いのあるものとなっており、外観良好な包装が要求される進物や土産等の包装にも好適である。
【００３５】
次に、本発明の第二実施形態について説明する。なお、本実施形態に係る包装材は、基本的な思想が第一実施形態と同様であるため、第一実施形態と同様の構成を備えている。従って、本実施形態において、第一実施形態の構成と同一或いは相当する構成については同一符号及び同一名称を付し、同一の構成についての説明を割愛して相違する点についてのみ以下に説明する。
【００３６】
本実施形態に係る包装材は、図３に示す如く、シート材１の長手方向の両端部に指を挿入するための指挿入穴３，３が直接的に穿設されるとともに、指挿入穴３，３に指を挿入した手で把持可能な把持部５，５が、指挿入穴３，３とこれに対して直近に位置するシート材１の端縁との間に形成されている。本実施形態に係る指挿入穴３，３は、第一実施形態と同様に、シート材１の短手方向に延びる長穴状をなし、長手方向の中心位置をシート材１の長手中心線ＣＬ１上（短手方向の略中央）に位置させるようにして形成されている。なお、包装時にシート材１の両側部Ｓ，Ｓを折り返すことを考慮して、本実施形態に係る指挿入穴３，３は、長軸方向の穴径（長手方向の長さ）がシート材１の短手方向の長さの三分の一以下に設定されている。
【００３７】
本実施形態に係る包装材は、以上の構成からなり、商品Ｐを包装する際の手順について説明すると、まず、広げたシート材１上に商品Ｐを載置する。この際、シート材１の長手中心線ＣＬ１上に位置するように、シート材１の短手中心線ＣＬ２を境にした一方の領域（指挿入穴３，３と中心線との間の領域）内に商品Ｐを配置する。
【００３８】
そして、図４（イ）に示す如く、シート材１の短手方向の両側部Ｓ，Ｓを商品Ｐ側に折り返す。すなわち、シート材１上の商品Ｐの大きさや形態に合わせてシート材１における短手方向の両側を商品Ｐ側（長手中心線ＣＬ１側）に折り返す。そうすると、折り返した部分が少なくとも商品Ｐの一部を覆うことになる。本実施形態においては、指挿入穴３，３をシート材１の両端部に形成しているため、シート材１の両側部Ｓ，Ｓを折り返した状態のままにしておくと、その折り返した部分が指挿入穴３，３と重なって指挿入穴３，３に指を挿入させることができなくなるため、折り返した部分が指挿入穴３，３に重ならないように、シート材１の角部Ｃ…を含む各領域を折り返しておく。なお、本実施形態においても、商品Ｐの大きさによって、折り返した両側部Ｓ，Ｓ同士が重なる場合と長手中心線ＣＬ１を挟んで対向する場合とがあるが、シート材１の両側部Ｓ、Ｓが少なくとも商品Ｐの一部に覆い被さる状態になっていればよい。
【００３９】
そして、必要に応じて折り返した両側部Ｓ，Ｓ同士を粘着テープＴを介して貼着する。しかる後、図４（ロ）に示す如く、シート材１を長手方向で二つ折りにする。すなわち、シート材１の長手方向の両端部に穿設した指挿入穴３，３同士、及び把持部５，５同士が互いに対向する（重なり合う）ように、シート材１を二つ折りにする。そうすると、それぞれの指挿入穴３，３に対して指を連続して挿入できる状態、すなわち、シート材１の両端部に形成された把持部５を一緒に把持できる状態となり、商品Ｐに対する包装が完了する。
【００４０】
そして、包装後の商品Ｐを持ち歩く際にシート材１の両端部に形成された各把持部５を一緒に把持すれば、商品Ｐをシート材１で包囲した状態で各把持部５を介してシート材１の両端部を直接的に合わせ持った態様となる。
【００４１】
以上のように、本実施形態に係る包装材においても、第一実施形態と同様に、商品Ｐを載置した状態でシート材１の両側部Ｓ，Ｓを商品Ｐ（長手中心線ＣＬ１）側に折り返した後に、そのシート材１を二つ折りにするだけで、商品Ｐを包装することができ、包装に係る作業が非常に簡便である。そして、該包装材は、シート材１を二つ折りにすることで重合する両端部を直接的に合わせ持つことのできる把持部５を備えているので、第一実施形態と同様に、二つ折り状態にあるシート材１が開いて商品Ｐが脱落する等といった事態になるのを確実に防止できる上に、鞄や把持する部分を備えた袋の如く態様で持ち運ぶことができ、非常に便利である。
【００４２】
また、商品Ｐを包装した状態で、シート材１上に両側部Ｓ，Ｓの折り返しによる折曲線と、二つ折りにすることによる折曲線とが交差した態様で形成されるので、包装後にその折り返した両側部Ｓ，Ｓが開いてしまうのを防止することができる。従って、本実施形態に係る包装材は、シート材１を商品Ｐを包装する際にシート材１の両側部Ｓ，Ｓが商品Ｐの一部を覆うことのできるサイズにシート材１が形成されているので、商品Ｐの脱落を防止することができる。また、商品Ｐに合わせてシート材１の両側部を折り返した上で、それを更に二つ折りにして包装するため、包装後の態様が非常に体裁のよいものとなる。特に、シート材１に折曲線が形成されることで角張った部分が形成され、包装紙で包装した場合と同様に外観上メリハリのある包装にすることができる。
【００４３】
また、本実施形態に係る包装材は、第一実施形態のシート片２，２のようなシート材１の端縁から突出する部材を備えていないため、包装紙の保管態様と同様の態様で保管することができる。すなわち、本実施形態に係る包装材は、上述のような優れた作用、効果を奏する上に、従来の包装紙と同様の取り扱いが可能である。
【００４４】
また、本実施形態に係る包装材は、シート材１に和紙が採用されているので、高級感や風合いのあるものとなっており、外観良好な包装が要求される進物や土産等の包装においても好適である。
【００４５】
次に、本発明の第三実施形態について説明する。なお、本実施形態に係る包装材についても基本的な思想が第一実施形態と同様であるため、第一実施形態と同様の構成を備えている。従って、本実施形態において、第一実施形態の構成と同一或いは相当する構成については同一符号及び同一名称を付し、同一の構成についての説明を割愛して相違する点についてのみ以下に説明する。
【００４６】
本実施形態に係る包装材は、図５に示す如く、シート材１の一端部に、その端縁から外側に延出するシート片２’が設けられている。
【００４７】
本実施形態に係るシート片２’は、シート材１側に折り返し可能に構成されており、折り返した状態で重なり合うように、指を挿入する指挿入穴３，３が二つ形成されている。
【００４８】
具体的に説明すると、本実施形態に係るシート片２’は、長方形状に形成されており、長手方向の一端部に糊代部４が設けられている。そして、該シート片２’は、短手方向の長さがシート材１の短手方向の長さの三分の一の長さ以下に設定され、該短手方向の略中央がシート材１の長手中心線ＣＬ１上に位置するように該糊代部４を介してシート材１の一端部に貼着されている。
【００４９】
該シート片２’は、長手方向の略中央に短手方向に延びる折返稜線（折曲稜線）を形成して折り返し可能に構成されており、折返稜線を境にして一対の片２’ａ，２’ｂを形成している。そして、各片２’ａ，２’ｂには、前記指挿入穴３，３が該シート片２’の短手方向に延びる長穴状に形成されており、シート片２’を折り返した状態（各片２’ａ，２’ｂが対向した状態）で各指挿入穴３，３が互いに重なり合うようになっている。すなわち、二つの指挿入穴３，３は、シート片２’の折曲稜線を基準にして対称位置に形成されている。これにより、本実施形態に係るシート片２’は、二つの指挿入穴３，３間の領域（各片２’ａ，２’ｂにおける折曲稜線から指挿入穴３，３までの各領域）がシート片２’を折り返した状態において把持部５になるようになっている。
【００５０】
また、該シート片２’は、長手方向の他端部がシート材１の他端部に接続する接続部Ｚとして設定されている。そして、該シート片２’は、折返稜線で折り返した状態で長手方向に二つ折りにされたシート材１（商品Ｐを包装した状態のシート材１）の他端部（一端部と重合状態にある他端部）に接続部Ｚが外側から重なるようになっており、その接続部Ｚを糊や接着剤、粘着テープＴ等を介してシート材１に貼着するようになっている。
【００５１】
なお、本実施形態においては、上述の如く、シート片２’を折り返した状態で、該シート片２’の両端部をシート材１の各端部に接続するように構成されているため、シート材１の長手方向の一端側と他端側に対する接続態様を対応させるべく、シート片２’の糊代部４はシート材１の外側の面に貼着されている。
【００５２】
本実施形態に係る包装材は、以上の構成からなり、商品Ｐを包装する際の手順について説明すると、まず、広げたシート材１上に商品Ｐを載置する。この際、シート材１の長手中心線ＣＬ１上に位置するように、シート材１の短手中心線ＣＬ２を境にした一方の領域内に商品Ｐを配置する。そして、図６（イ）に示す如く、シート材１の短手方向の両側部Ｓ，Ｓを商品Ｐ側に折り返す。すなわち、シート材１上の商品Ｐの大きさや形態に合わせてシート材１における短手方向の両側を商品Ｐ側（長手中心線ＣＬ１側）に折り返し、その折り返した部分で少なくとも商品Ｐの一部を覆った状態にする。なお、商品Ｐの大きさによって、折り返した両側部Ｓ，Ｓ同士が重なる場合と長手方向の中心線を挟んで対向する場合とがあるが、折り返した部分が商品Ｐに覆い被さる状態になっていればよい。
【００５３】
そして、本実施形態においても、必要に応じて折り返した両側部Ｓ，Ｓ同士を粘着テープＴを介して貼着する。しかる後、図６（ロ）に示す如く、シート材１の長手方向の両端部が互いに対向するように、シート材１を二つ折りにする。そして、シート片２’を折り返して接続部Ｚをシート材１の他端部に対して外側から重ね合わせ、糊や接着剤、片面粘着テープ、両面粘着テープ等の貼着手段（図においては片面粘着テープＴ）を介してシート片２’の接続部Ｚをシート材１に貼着し、シート片２’の両端がシート材１の各端部に対して接続された状態にする。
【００５４】
そうすると、シート片２’の二つの指挿入穴３，３が重なり、各指挿入穴３，３に対して指を連続して挿入できる状態、すなわち、シート片２’の把持部５が把持できる状態となり、商品Ｐに対する包装が完了する。
【００５５】
そして、包装後の商品Ｐを持ち歩く際にシート材１に貼着されたシート片２’の把持部５を把持すれば、商品Ｐをシート材１で包囲した状態で把持部５を介してシート材１の両端部を間接的に合わせ持った態様となる。
【００５６】
以上のように、本実施形態に係る包装材は、第一及び第二実施形態と同様に、商品Ｐを載置した状態でシート材１の両側部Ｓ，Ｓを商品Ｐ（長手中心線ＣＬ１）側に折り返した後に、そのシートを二つ折りにするだけで、商品Ｐを包装することができ、包装に係る作業が非常に簡便である。
【００５７】
そして、該包装材は、シート材１を二つ折りにすることで重合する両端部を間接的に合わせ持つことのできる把持部５を備えているので、二つ折り状態にあるシート材１が開いて商品Ｐを脱落させる等といった事態になるのを確実に防止できる上に、鞄や把持する部分を備えた袋の如く態様で持ち運ぶことができ、非常に便利である。
【００５８】
また、商品Ｐを包装した状態で、シート材１上に両側部Ｓ，Ｓの折り返しによる折曲線と、二つ折りにすることによる折曲線とが交差した態様で形成されるので、包装後にその折り返した両側部Ｓ，Ｓが開いてしまうのを防止することができる。従って、本実施形態に係る包装材においても、商品Ｐを包装する際にシート材１の両側部Ｓ，Ｓが商品Ｐの一部を覆うことのできるサイズにシート材１が形成されているので、商品Ｐの脱落を防止することができる。
【００５９】
また、商品Ｐに合わせてシート材１の両側部を折り返した上で、それを更に二つ折りにして包装するため、包装後の態様が非常に体裁のよいものとなる。特に、シート材１に折曲線が形成されることで角張った部分が形成され、包装紙で包装した場合と同様に外観上メリハリのある包装にすることができる。
【００６０】
また、シート片２’の両端部がシート材１の長手方向の両端部に接続された状態で、該シート片２’がシート材１の端縁から外側に延出し、その延出した部分に把持部５及び指挿入穴３，３が位置するので、シート材１の長手方向における一端から他端の全領域を商品Ｐを包装する領域として最大限に活用することができる。
【００６１】
さらに、本実施形態においては、シート片２’の短手方向の長さをシート材１の短手方向の長さの三分の一以下にしたので、シート片２’の存在によってシート材１の両側部Ｓ，Ｓの折り返しが阻害される領域を少なくすることができ、種々のサイズの商品Ｐを包み込んだ態様で包装することができる。すなわち、シート材１の両側部Ｓ，Ｓを折り返すことのできる領域を大きくすることができ、包装できる商品Ｐの対象の幅を広げることができる。
【００６２】
また、本実施形態に係る包装材においても、シート材１に和紙が採用されているので、高級感や風合いのあるものとなっており、外観良好な包装が要求される進物や土産等の包装においても好適である。
【００６３】
尚、本発明の包装材は、上記実施形態に限定されるものではなく、本発明の要旨を逸脱しない範囲内において種々変更を加え得ることは勿論である。
【００６４】
上記実施形態の何れにおいても、包装材が店舗で使用されることを前提に、包装する対象（被包装物）として商品を一例に挙げて説明したが、かかる包装材で包装する被包装物は商品に限定されるものではない。すなわち、本発明に係る包装材は、例えば、被包装物としてのプレゼント等を個人的に包装するためのもの（家庭的に使用される包装材）として用いても勿論よい。
【００６５】
上記実施形態の何れにおいても、シート材１に和紙を採用したが、これに限定されるものではなく、シート材１は、例えば、一般的な包装紙や、樹脂シート等で構成してもよい。また、第一及び第三実施形態において、シート片２，２，２’を厚紙で構成するようにしたが、これに限定されるものではなく、シート片２，２，２’を設ける場合には、例えば、シート材１と同様に折曲自在な紙シートや樹脂シートでシート片２，２，２’を形成するようにしてもよい。
【００６６】
また、二つ折りにしたシート材１の両端部を間接的に合わせ持つようにする場合、シート片２，２，２’に把持部５を形成する態様に限定されるものではなく、例えば、使用者が把持可能に構成された把持部と、該把持部をシート材に接続するための接続部とを一体的に樹脂成形し、接続部をシート材に接続するようにしてもよい。この場合、把持部の両端部に接続部を設けた門型の樹脂成型品や、把持部と該把持部の両端に接続された接続部とが連続したアーチ状をなすような樹脂成形品等を作製しておき、接続部をシート材の端部に接続するようにしてもよい。このようにシート材とは別の性状を持つ把持部（シート材よりも剛性のある把持部）を設ける場合、シート材と把持部との接続は、第一及び第三実施形態と同様に貼着手段を介して行ってもよいが、例えば、リベットや鳩目のような締着手段を介してシート材と把持部とを接続するようにしてもよい。
【００６７】
上記何れの実施形態においても、シート材１を長方形状にしたが、これに限定されるものではなく、例えば、平面視において、正方形状をなすものや、矩形状の角部を落とした形状（例えば、多角形状）をなすもの等適宜採用することができる。すなわち、本発明に係る包装材は、シート材１が長方形状のものに限定されるものではなく、シート材１を商品Ｐを載置した状態で該商品Ｐ側に両側部を折り返し可能で、両側部の折り返し方向と交差方向に二つ折り可能なサイズであれば、適宜形状を変更することができる。特に、第二実施形態においては、シート材１の両側部Ｓ，Ｓを折り返した後に角部Ｃ…を含んだ領域を折り返して指挿入穴３，３にシート材１が覆い被さるのを防止したが、図７に示す如く、第二実施形態において指挿入穴３，３に覆い被さるのを防止すべく折り返した領域（角部Ｃ…を含んだ領域）を切除した形状にシート材１を構成することで、包装時にシート材１を折り曲げる作業を減らすことができ、作業効率を向上させることができる。
【００６８】
上記何れの実施形態においても、商品Ｐを包装するに際してシート材１の短手中心線ＣＬ２を境にした一方の領域に商品Ｐを配置するようにしたが、これに限定されるものではなく、例えば、布製品等のように商品（被包装物）Ｐ自体が折り曲げ可能なものである場合、短手中心線ＣＬ２の両側の領域に跨るように被包装物Ｐを配置するようにしてもよい。この場合においても、シート材１の両側部Ｓ，Ｓを被包装物Ｐ側に折り返した後、被包装物Ｐと共にシート材１を二つ折りにすることで包装することができる。
【００６９】
上記第一、及び第三実施形態において、非包装状態であってもシート片２，２，２’がシート材１の端縁から延出した状態になるように、シート片２，２，２’をシート材１に貼着するようにしたが、これに限定されるものではなく、例えば、指挿入穴３の形成されたシート片２，２，２’の一部（一端部）をシート材１に貼着し、非包装状態でシート片２，２，２’の全体がシート材１の領域内に位置する一方で商品Ｐを包装するに際して指挿入穴３と把持部５とがシート材１の端縁よりも外側に位置するように、該シート片２，２，２’を折り曲げ可能に形成してもよい。このようにすれば、商品Ｐを包装するに際して第一及び第三実施形態のシート片２，２，２’と同様の態様となり、同様の作用、効果を奏することができる一方で、商品Ｐを包装するまでは、シート片２，２が外側に延出することなく、現状における包装紙と同様の保管態様で当該包装材を保管することができる。
【００７０】
上記第二実施形態において、シート材１に直接指挿入穴３，３を穿設するようにしたが、例えば、該指挿入穴３，３の周辺を補強し、把持したときに把持部５が必要以上に変形するのを防止するようにしてもよい。この補強としては、指挿入穴３，３と同様の貫通穴が設けられた厚紙を補強部材としてシート材１に貼着したり、指挿入穴３，３の周縁部に環状の樹脂成形品を取り付けるようにしたりすればよい。
【図面の簡単な説明】
【００７１】
【図１】本発明の第一実施形態に係る包装材の全体斜視図を示す。
【図２】第一実施形態に係る包装材で被包装物としての商品を包装する際の状態を説明するための状態図であって、（イ）は、シート材の両側部を折り返した状態の概略斜視図を示し、（ロ）は、（イ）の状態のシート材をさらに二つ折りにして商品を包装した状態の概略斜視図を示す。
【図３】本発明の第二実施形態に係る包装材の全体斜視図を示す。
【図４】第二実施形態に係る包装材で被包装物としての商品を包装する際の状態を説明するための状態図であって、（イ）は、シート材の両側部を折り返した状態の概略斜視図を示し、（ロ）は、（イ）の状態のシート材をさらに二つ折りにして商品を包装した状態の概略斜視図を示す。
【図５】本発明の第三実施形態に係る包装材の全体斜視図を示す。
【図６】第三実施形態に係る包装材で被包装物としての商品を包装する際の状態を説明するための状態図であって、（イ）は、シート材の両側部を折り返した状態の概略斜視図を示し、（ロ）は、（イ）の状態のシート材をさらに二つ折りにして商品を包装した状態の概略斜視図を示す。
【図７】本発明の他実施形態に係る包装材の全体斜視図を示す。
【符号の説明】
【００７２】
１…シート材、２、２’…シート片、２’ａ，２’ｂ…片、３…指挿入穴、４…糊代部、５…把持部、Ｐ…商品、Ｓ…両側部、Ｔ…粘着テープ
【図１】
2007197059.tif 000003
【図２】
2007197059.tif 000004
【図３】
2007197059.tif 000005
【図４】
2007197059.tif 000006
【図５】
2007197059.tif 000007
【図６】
2007197059.tif 000008
【図７】
2007197059.tif 000009